(57)【要約】【課題】      簡単な保持部材で玉網と柄が釣竿ケ−スから上側に飛び出さないようにした釣竿ケ−スを提供することである。【解決手段】  釣竿ケ−ス１は、釣竿ケ−ス本体２の筒状部２ａの外側（前側）の長手方向外側に肩掛けベルト３が取り付けられ、釣竿ケ−ス本体２内に図示しない釣竿やリ−ルが収納可能であり、釣竿ケ−ス１の重心位置Ｇに対応する釣竿ケ−ス１の外側位置に取っ手ハンドル４が取り付けられ、釣竿ケ−ス１の上端にＵ字状のハンドル１０が取り付けられている。  玉網８の網枠１７と上端のハンドル１０の間に保持部材９が取り付けられている。  保持部材９はベルト体１９の両端側に係合部２０と係止部２１が設けられている。【選択図】        図２
2007110907.tif 000002
【特許請求の範囲】
【請求項１】
釣竿ケ−スの上端部にＵ字状のハンドルを設け、このハンドルに沿って移動可能に玉網の保持部材を設けたことを特徴とする釣竿ケ−ス。
【請求項２】
保持部材はベルト体とその両端側に設けた互いに係合可能な係合部と係止部からなることを特徴とする請求項１記載の釣竿ケ−ス。
【発明の詳細な説明】
【技術分野】
【０００１】
本発明は、釣り場を移動する時に釣竿ケ−スに玉網の柄を保持すると共に玉網と柄が釣竿ケ−スから上側に飛び出さないようにした釣竿ケ−スに関する。
【背景技術】
【０００２】
従来から磯釣りでは釣り場を移動する時には特許文献１のように釣竿ケ−スの側部に玉網を添えて玉網止め具で玉網を係止していた。
しかし、特許文献１ではスライドファスナ−の一対のスライダ−に玉網止め具を取り付けているので、玉網止め具による玉網枠の係止が煩わしく、釣竿ケ−スの中に収納した釣竿等を取り出す時に少なくとも一方の玉網止め具を玉網枠から外さないとスライダ−を移動して開口を開く操作が出来ない欠点がある。
更にスライドファスナ−のスライダ−に玉網止め具を取り付けていると、玉網の重量でスライダ−と玉網の位置が移動してしまう欠点がある。
【特許文献１】特開２００４−３４４１２４号公報
【発明の開示】
【発明が解決しようとする課題】
【０００３】
解決しようとする問題点は、スライドファスナ−のスライダ−に玉網止め具を取り付けているので、玉網止め具による玉網枠の係止が煩わしく、釣竿ケ−スの中に収納した釣竿等を取り出す時に玉網止め具を玉網枠から外さないとスライダ−を移動して開口を開く操作が出来ないことである。
【０００４】
本発明の目的は前記欠点に鑑み、簡単な保持部材で玉網と柄が釣竿ケ−スから上側に飛び出さないようにした釣竿ケ−スを提供することである。
【課題を解決するための手段】
【０００５】
本発明の請求項１は、釣竿ケ−スの上端部にＵ字状のハンドルを設け、このハンドルに沿って移動可能に玉網の保持部材を設けたことを要旨とするものである。
本発明の請求項２は、保持部材はベルト体とその両端側に設けた互いに係合可能な係合部と係止部からなることを要旨とするものである。
【発明の効果】
【０００６】
本発明の請求項１により、玉網を釣竿ケ−ス本体に保持して釣り場を移動する時、容易に取り付け取り外しが出来ると共に、ハンドルに沿って設けた保持部材によって玉網が釣竿ケ−ス本体の上方に飛び出すことが防止できる。
本発明の請求項２により、保持部材は係合部と係止部の係合と離脱で玉網の網枠から容易に取り付け取り外しができる。
【発明を実施するための最良の形態】
【０００７】
釣竿ケ−ス１は、釣竿ケ−ス本体２の筒状部２ａの外側（前側）の長手方向外側に肩掛けベルト３が取り付けられ、釣竿ケ−ス本体２内に図示しない釣竿やリ−ルが収納可能であり、釣竿ケ−ス１の重心位置Ｇに対応する釣竿ケ−ス１の外側位置に取っ手ハンドル４が取り付けられ、釣竿ケ−ス１の上端にＵ字状のハンドル１０が取り付けられている。
玉網８の網枠１７と上端のハンドル１０の間に保持部材９が取り付けられている。
保持部材９はベルト体１９の両端側に係合部２０と係止部２１が設けられている。
【実施例１】
【０００８】
以下、図示の実施例によって本発明を説明すると、図１は釣竿ケ−スの中に柄が収納されると共に上側で玉網が保持部材で係止されて釣竿ケ−スの肩掛けベルトが釣り人の肩に掛けられた状態の斜視図、図２は図１の要部拡大斜視図、図３は図２の要部拡大斜視図、図４は保持部材の係合部と係止部が離間された拡大斜視図、図５は保持部材の係合部と係止部が係合された拡大斜視図、図６は釣竿ケ−スの側部に柄が添接されると共に上側で玉網が保持部材で係止されて釣竿ケ−スの肩掛けベルトが釣り人の肩に掛けられた状態の斜視図、図７は図６の要部拡大斜視図、図８は保持部材をハンドルにスライダ−を介して取り付けた状態の拡大斜視図である。
【０００９】
釣竿ケ−ス１は、釣竿ケ−ス本体２の筒状部２ａの外側（前側）の長手方向外側に肩掛けベルト３が取り付けられ、釣竿ケ−ス本体２内に図示しない釣竿やリ−ルが収納可能であり、釣竿ケ−ス１の重心位置Ｇに対応する釣竿ケ−ス１の外側位置に取っ手ハンドル４が取り付けられ、釣竿ケ−ス１の上端にＵ字状のハンドル１０が取り付けられている。
釣竿ケ−ス本体２は筒状部２ａと一側の膨出部２ｂと他側の膨出部と縦帯状部２ｃで縦長袋状に形成されて底部に硬質の有底筒部材５が固定されている。
筒状部２ａと一側の膨出部２ｂと他側の膨出部の外側材は周囲に沿って縫合されて一体的に形成されている。
筒状部２ａと一側の膨出部２ｂと他側の膨出部の外側材と縦帯状部２ｃの外側材は夫々布地やナイロン、塩化ビニ−ル、ポリプロピレン等の合成樹脂繊維の織布で形成されている。
筒状部２ａの外側材の内側の図示しない内側材との間には図示しないポリエチレンボ−ド等の硬質合成樹脂板が介在されて湾曲筒状に形成されている。
【００１０】
釣竿ケ−ス本体２の筒状部２ａと一側の膨出部２ｂに対して縦帯状部２ｃの縦方向の一側は係合チャック１１、１２で開口するように形成された開口部Ｋを有し、他側の膨出部に対して縦帯状部２ｃの縦方向の縁線ａは縫着等で固定されている。
肩掛けベルト３は布地やナイロン、塩化ビニ−ル、ポリプロピレン等の合成樹脂繊維の織布で形成された上方ベルト６と下方ベルト７とからなり、上方ベルト６の上端６ａは折り返されて釣竿ケ−ス本体２の重心位置Ｇより上方側の筒状部２ａに縫着固定され、下方ベルト７の下端は重心位置Ｇより下方側の筒状部２ａに縫着固定されている。
上方ベルト６と下方ベルト７は同一材料で一体に形成してもよい。
膨出部２ｂの外側にはポケット１３が固定されている。
底部側の硬質の有底筒部材５の上側の筒状部２ａに袋１４が縫着固定され、筒状部２ａの長さの中程より上側に紐１５が縫着固定されている。
【００１１】
図１から図３で玉網８の柄１６が釣竿ケ−ス本体２の開口部Ｋから中に収納され、釣竿ケ−ス本体２の開口部Ｋの上端から網枠１７が露出し、玉網８の網枠１７と上端のハンドル１０の間に保持部材９が取り付けられている。
玉網８は四分の一に折り畳み可能な網枠１７に連結部材１８を介して伸縮可能な柄１６が接続されている。
袋状の玉網部８ａの開口の環の部分に網枠１７が挿通されている。
図６、図７は玉網８を釣竿ケ−ス本体２の外側に沿うように保持（収納）した例で玉網８の柄１６の下端が釣竿ケ−ス本体２の底部側の筒状部２ａに縫着固定された袋１４に挿入され、柄１６の中程は紐１５で取り付けられ、玉網８の網枠１７と上端のハンドル１０の間に保持部材９が取り付けられている。
保持部材９はベルト体１９の両端側に係合部２０と係止部２１が設けられ、係合部２０と係止部２１が互いに係合するとリング状となり、その中にハンドル１０が挿通されてハンドル１０に沿って移動可能に保持されている。
また、玉網８は柄１６の長さや網枠１７の大きさが異なると釣竿ケ−ス本体２に収納または保持した時の網枠１７の位置が異なる。
【００１２】
玉網８の網枠１７と上端のハンドル１０の間に保持部材９が取り付けられる時は、袋状の玉網部８ａの目を通して保持部材９のベルト体１９が網枠１７とハンドル１０に回されてベルト体１９の両端側に設けた互いに係合可能な係合部２０と係止部２１が係合されている。
玉網８の網枠１７と上端のハンドル１０の間に保持部材９が取り付けられると、柄１６が釣竿ケ−ス本体２の中に収納されたり、釣竿ケ−ス本体２の側部に袋１４や紐１５で取り付けられていると、玉網８に釣竿ケ−ス本体２の上方に飛び出す力が掛かっても、保持部材９で飛び出しが防止される。
保持部材９はハンドル１０に沿ってその長さの中で移動ができるので、収納（保持）する玉網８の柄１６の長さや網枠１７の大きさにバラツキがあり、釣竿ケ−ス本体２の上端側に配される玉網８の網枠１７の位置が変わってもその位置に応じて保持部材９を移動させて網枠１７を保持することができる。
保持部材９は係合部２０と係止部２１の係合と離脱で玉網８の網枠１７から容易に取り付け取り外しができる。
保持部材９はベルト体１９の両端側に他の係合具のベルクロやスナップを設けてもよい。
尚、保持部材９は図８のようにハンドル１０に沿って移動可能に取り付けたスライダ−２２に係止してもよい。
【００１３】
前記のように釣竿ケ−スが構成されると、玉網８を釣竿ケ−ス本体２に添接して釣り場を移動する時、容易に取り付け取り外しが出来ると共に、ハンドル１０に沿って設けた保持部材９を玉網８の網枠１７の位置に合わせて移動させて網枠１７を係止することによって玉網８が釣竿ケ−ス本体２の上方に飛び出すことが防止できる。
保持部材９は係合部２０と係止部２１の係合と離脱で玉網８の網枠１７から容易に取り付け取り外しができる。
またハンドル１０は釣竿ケ−ス本体２の上端部にて開口部Ｋを跨いでそれぞれの端部が釣竿ケ−ス本体２の対向する側面に取り付けられており、またＵ字状のハンドル１０を取り付けた側面に袋１４、紐１５を設けて玉網８を保持可能としたため、玉網８を釣竿ケ−ス本体２内に収納し網枠１７が開口部Ｋから露出する場合や釣竿ケ−ス本体２の外側面で保持して網枠１７が外側面に沿って配された場合でも、それぞれの位置に応じて保持部材９をハンドル１０に沿って移動させて網枠１７を保持できる。
【産業上の利用可能性】
【００１４】
本発明は釣竿ケ−ス全般に利用できる。
【図面の簡単な説明】
【００１５】
【図１】釣竿ケ−スの中に柄が収納されると共に上側で玉網が保持部材で係止されて釣竿ケ−スの肩掛けベルトが釣り人の肩に掛けられた状態の斜視図である。
【図２】図１の要部拡大斜視図である。
【図３】図２の要部拡大斜視図である。
【図４】保持部材の係合部と係止部が離間された拡大斜視図である。
【図５】保持部材の係合部と係止部が係合された拡大斜視図である。
【図６】釣竿ケ−スの側部に柄が添接されると共に上側で玉網が保持部材で係止されて釣竿ケ−スの肩掛けベルトが釣り人の肩に掛けられた状態の斜視図である。
【図７】図６の要部拡大斜視図である。
【図８】保持部材をハンドルにスライダ−を介して取り付けた状態の拡大斜視図である。
【符号の説明】
【００１６】
１  釣竿ケ−ス
１０  ハンドル
８  玉網
９  保持部材
１９  ベルト体
２０  係合部
２１  係止部
【図１】
2007110907.tif 000003
【図２】
2007110907.tif 000004
【図３】
2007110907.tif 000005
【図４】
2007110907.tif 000006
【図５】
2007110907.tif 000007
【図６】
2007110907.tif 000008
【図７】
2007110907.tif 000009
【図８】
2007110907.tif 000010